(57)【要約】【課題】操作者が立った状態での操作性を向上させることができる伝票発行装置、及びプログラムを提供する。【解決手段】伝票発行装置は、表示部と、可動部と、本体部と、検知部と、表示制御部と、を備える。前記表示部は、タッチパネルを有する。前記可動部は、前記表示部をチルト方向に傾け可能になっている。前記本体部は、前記可動部と接合されている。前記検知部は、前記表示面が上方に向けられたことを検知する。前記表示制御部は、前記表示面が上方に向けられたことを前記検知部が検知したことを条件に、伝票の発行に関する操作を受け付ける操作画面を前記表示部の前記表示面に表示させる。【選択図】図５
2019188628.tif 000002
【特許請求の範囲】
【請求項１】
タッチパネルを有する表示部と、
前記表示部をチルト方向に傾け可能な可動部と、
前記可動部と接合された本体部と、
前記表示部の表示面が上方に向けられたことを検知する検知部と、
前記表示面が上方に向けられたことを前記検知部が検知したことを条件に、伝票の発行に関する操作を受け付ける操作画面を前記表示部の前記表示面に表示させる表示制御部と、
を備える伝票発行装置。
【請求項２】
前記表示制御部は、識別情報の入力を受け付ける入力欄と、当該入力欄に入力された前記識別情報に該当する情報の一覧を表示させる表示欄とを含む前記操作画面を表示させる、
請求項１に記載の伝票発行装置。
【請求項３】
前記操作画面の表示と、非表示とを切り替える操作を受け付ける操作部を更に備える、
請求項１又は２に記載の伝票発行装置。
【請求項４】
キーボードからの操作を受け付けるキーボード制御部を更に備え、
前記キーボード制御部は、前記表示面が上方に向けられたことを前記検知部が検知したことを条件に、前記キーボードからの操作を受け付けない、
請求項１乃至３の何れか一項に記載の伝票発行装置。
【請求項５】
前記表示制御部は、表示中の画面を縮小して、前記操作画面を表示させる、
請求項１乃至４の何れか一項に記載の伝票発行装置。
【請求項６】
タッチパネルを有する表示部と、
前記表示部をチルト方向に傾け可能な可動部と、
前記可動部と接合された本体部と、
前記表示部の表示面が上方に向けられたことを検知する検知部と、を備えるコンピュータを、
前記表示面が上方に向けられたことを前記検知部が検知したことを条件に、伝票の発行に関する操作を受け付ける操作画面を前記表示部の前記表示面に表示させる表示制御部、
として機能させるためのプログラム。
【発明の詳細な説明】
【技術分野】
【０００１】
本発明の実施形態は、伝票発行装置、及びプログラムに関する。
【背景技術】
【０００２】
従来、各種伝票を発行する伝票発行装置が知られている。伝票発行装置は、例えば机上に載置される。そして、伝票発行装置は、机の前に置かれた椅子に座った操作者により操作されることを想定している。
【０００３】
ところで、僅かな数量の伝票の発行を忘れていた場合や緊急で伝票を発行したい場合に、その都度、椅子に座り操作するのは操作者にとって煩雑である。しかしながら、伝票発行装置は、操作者が椅子等に座った状態で操作されることを想定しているため、操作者が立った状態では操作性が悪い。
【発明の概要】
【発明が解決しようとする課題】
【０００４】
本発明が解決しようとする課題は、操作者が立った状態での操作性を向上させることができる伝票発行装置、及びプログラムを提供することである。
【課題を解決するための手段】
【０００５】
実施形態の伝票発行装置は、表示部と、可動部と、本体部と、検知部と、表示制御部と、を備える。前記表示部は、タッチパネルを有する。前記可動部は、前記表示部をチルト方向に傾け可能になっている。前記本体部は、前記可動部と接合されている。前記検知部は、前記表示面が上方に向けられたことを検知する。前記表示制御部は、前記表示面が上方に向けられたことを前記検知部が検知したことを条件に、伝票の発行に関する操作を受け付ける操作画面を前記表示部の前記表示面に表示させる。
【図面の簡単な説明】
【０００６】
【図１】図１は、本実施形態にかかる事務機の外観の一例を示す斜視図である。
【図２】図２は、表示部を立てた状態を示す事務機の一例を示す概略断面図である。
【図３】図３は、表示部を倒した状態を示す事務機の一例を示す概略断面図である。
【図４】図４は、事務機のハードウェア構成の一例を示すブロック図である。
【図５】図５は、事務機が備える特徴的な機能構成の一例を示すブロック図である。
【図６】図６は、伝票入力画面の一例を示す説明図である。
【図７】図７は、伝票入力画面と操作画面との一例を示す説明図である。
【図８】図８は、画面表示処理の一例を示すフローチャートである。
【発明を実施するための形態】
【０００７】
以下、添付図面を参照して、伝票発行装置、及びプログラムの実施形態を詳細に説明する。なお、以下に説明する実施形態は、伝票発行装置、及びプログラムの一実施形態であって、その構成や仕様等を限定するものではない。本実施形態の伝票発行装置、及びプログラムは、各種伝票を発行する事務機への適用例である。
【０００８】
図１は、本実施形態にかかる事務機１の外観の一例を示す斜視図である。図２は、表示部２０を立てた状態を示す事務機１の一例を示す概略断面図である。図３は、表示部２０を倒した状態を示す事務機１の一例を示す概略断面図である。
【０００９】
事務機１は、各種伝票を発行する伝票発行装置である。事務機１は、伝票の発行に関する各種操作を受け付ける操作画面Ｇ２（図７参照）を表示部２０に表示させる操作画面表示モードを有している。例えば、事務機１は、表示部２０が倒されている場合に操作画面表示モードに設定する。そして、事務機１は、表示部２０が立てられている場合に操作画面Ｇ２を表示しない通常モードに設定する。
【００１０】
事務機１は、本体部１０と、表示部２０と、キーボード３０と、マウス４０とを備える。本体部１０は、筐体１１に覆われている。筐体１１は、内部に印字部１０４（図４参照）を収納している。筐体１１は、前方に第１給紙口１２を備えている。第１給紙口１２は、単票等の用紙を入れる給紙口である。第１給紙口１２から入れられた用紙は、印字部１０４に各種情報が印字された後に排出される。
【００１１】
また、筐体１１は、後方に第２給紙口１３を備えている。第２給紙口１３は、連続用紙等の用紙を入れる給紙口である。第２給紙口１３から入れられた用紙は、印字部１０４に各種情報が印字された後に排出される。
【００１２】
ここで、連続用紙等を第２給紙口１３にセットする場合にも、操作者は、図３に示すように表示部２０を略水平に倒すことができる。従来、表示部２０を倒すことができなかったため、操作者は、事務機１の正面から第２給紙口１３に連続用紙をセットすることは困難であった。本実施形態に係る事務機１では、操作者は、表示部２０を略水平に倒すことができるため、連続用紙を第２給紙口１３に容易にセットすることができる。
【００１３】
また、筐体１１は、表示部２０とヒンジ１４により接合されている。表示部２０は、例えば液晶表示装置である。表示部２０は、各種情報を表示させる表示面２１にタッチパネル２２を備えている。タッチパネル２２は、表示面２１に触れられた位置を検出し、検出した位置の表示面２１の表示内容に応じた操作を受け付ける入力装置である。
【００１４】
ヒンジ１４は、ヒンジ１４が備える回転軸により、表示部２０をチルト方向に傾けることが可能な可動部である。操作者は、例えば表示部２０の上端等を押すことにより表示部２０の表示面２１を上方に向けることができる。また、例えば表示部２０の上端等を引き上げることにより表示部２０の表示面２１を略水平方向に方に向けることができる。
【００１５】
キーボード３０は、各種操作を入力するキーを備えた入力装置である。マウス４０は、表示部２０が表示した画像の位置を指定して、操作を入力する入力装置である。
【００１６】
また、筐体１１は、上面に傾き検知部５０を備えている。傾き検知部５０は、ヒンジ１４により表示部２０が倒れていることを検知する。これにより、傾き検知部５０は、表示部２０の表示面２１が上方に向けられたことを検知する。例えば、傾き検知部５０は、表示部２０と接触していることを検知する接触センサである。なお、傾き検知部５０は、接触センサに限らない。例えば、傾き検知部５０は、他の方式のセンサであってもよいし、機械式のスイッチであってもよい。また、傾き検知部５０は、筐体１１の上面に限らず、他の位置に配置されていてもよい。
【００１７】
次に、事務機１のハードウェア構成について説明する。
【００１８】
図４は、事務機１のハードウェア構成の一例を示すブロック図である。事務機１は、制御部１０１と、記憶部１０２と、通信インタフェース１０３と、印字部１０４と、表示部２０と、タッチパネル２２と、キーボード３０と、マウス４０と、傾き検知部５０と、切替スイッチ１０５とを備える。これら各部は、データバスやアドレスバス等のシステムバス１０６を介して相互に接続している。
【００１９】
制御部１０１は、事務機１の全体の動作を制御し、事務機１が有する各種の機能を実現するコンピュータである。制御部１０１は、ＣＰＵ（Central  Processing  Unit）と、ＲＯＭ（Read  Only  Memory）と、ＲＡＭ（Random  Access  Memory）とを備える。ＣＰＵは、事務機１の動作を統括的に制御する。ＲＯＭは、電力が供給されていなくても各種データを保持する不揮発性の記憶媒体である。ＲＡＭは、指定した領域に対してデータを読み書き可能な記憶媒体である。そして、ＣＰＵは、ＲＡＭをワークエリア（作業領域）としてＲＯＭ又は記憶部１０２等に格納されたプログラムを実行する。
【００２０】
記憶部１０２は、ＨＤＤ（Hard  Disk  Drive）やＳＳＤ（Solid  State  Drive）などの記憶装置である。記憶部１０２は、制御プログラム１０７と、顧客マスタ１０８と、商品マスタ１０９と、伝票マスタ１１０とを記憶する。なお、記憶部１０２は、これらマスタに限らず、他の情報を有するマスタを記憶していてもよい。また、これらマスタは、記憶部１０２に限らず、他の装置に記憶されていてもよい。
【００２１】
制御プログラム１０７は、オペレーティングシステムや、事務機１が備えている機能を発揮させるためのプログラムである。制御プログラム１０７には、本実施形態に係る特徴的な機能を発揮させるプログラムが含まれる。
【００２２】
顧客マスタ１０８は、顧客に関する各種情報を記憶するデータベースである。例えば、顧客マスタ１０８は、顧客コードと、名称と、住所と、電話番号とを関連付けて記憶する。顧客コードは、顧客を識別可能な識別情報である。名称は、顧客の名称を示す情報である。住所は、顧客の住所を示す情報である。電話番号は、顧客の電話番号を示す情報である。
【００２３】
商品マスタ１０９は、商品に関する各種情報を記憶するデータベースである。例えば、商品マスタ１０９は、商品コードと、名称と、単価とを関連付けて記憶する。商品コードは、商品を識別可能な識別情報である。名称は、商品の名称を示す情報である。単価は、商品の単価を示す情報である。
【００２４】
伝票マスタ１１０は、伝票情報を記憶するデータベースである。例えば、伝票マスタ１１０は、伝票コードと、伝票情報とを関連付けて記憶する。伝票コードは、伝票を識別可能な識別情報である。伝票情報は、伝票を示す情報である。
【００２５】
通信インタフェース１０３は、ネットワークを介して接続された装置との通信を実行する。
【００２６】
印字部１０４は、例えばドットインパクトプリンタである。印字部１０４は、例えば第１給紙口１２又は第２給紙口１３から入られた用紙に伝票を印字する。なお、印字部１０４は、サーマルプリンタやインクジェットプリンタやレーザプリンタ等の他の方式のプリンタであってもよい。
【００２７】
切替スイッチ１０５は、操作画面Ｇ２を表示する操作画面表示モードと、操作画面Ｇ２を表示しない通常モードとを切り替える操作を受け付ける操作部である。そして、切替スイッチ１０５は、任意の位置に配置することができる。すなわち、切替スイッチ１０５は、キーボード３０に配置されていてもよいし、筐体１１に配置されていてもよいし、表示部２０の縁等に配置されていてもよい。また、切替スイッチ１０５は、ハードウェアスイッチに限らず、表示部２０等に表示されるソフトウェアスイッチであってもよい。
【００２８】
次に、事務機１が備える特徴的な機能について説明する。
【００２９】
ここで、図５は、事務機１が備える特徴的な機能構成の一例を示すブロック図である。事務機１の制御部１０１は、記憶部１０２の制御プログラム１０７をＲＡＭに展開し、制御プログラム１０７に従って動作することで、図５に示す各機能部をＲＡＭ上に生成する。具体的には、事務機１の制御部１０１は、機能部として、モード制御部１００１、表示制御部１００２、タッチパネル制御部１００３、キーボード制御部１００４、伝票情報生成部１００５、及び印字制御部１００６を備える。
【００３０】
モード制御部１００１は、操作画面表示モードと、通常モードとの切り替えを制御する。モード制御部１００１は、表示部２０が倒されていることを傾き検知部５０が検知した場合に、操作画面表示モードに設定する。また、モード制御部１００１は、表示部２０が立てられていることを傾き検知部５０が検知した場合に、通常モードに設定する。
【００３１】
また、モード制御部１００１は、切替スイッチ１０５が受け付けた操作に基づいて、操作画面表示モードと、通常モードとを切り替える。モード制御部１００１は、表示部２０が立てられている場合に、通常モードに設定する。表示部２０が立てられた状態の通常モードで、切替スイッチ１０５がモードを切り替える操作を受け付けた場合に、モード制御部１００１は、操作画面表示モードに設定する。また、表示部２０が立てられた状態の操作画面表示モードで、切替スイッチ１０５がモードを切り替える操作を受け付けた場合に、モード制御部１００１は、通常モードに設定する。
【００３２】
また、モード制御部１００１は、表示部２０が倒された場合に、操作画面表示モードに設定する。表示部２０が立てられた状態の操作画面表示モードで、切替スイッチ１０５がモードを切り替える操作を受け付けた場合に、モード制御部１００１は、通常モードに設定する。また、表示部２０が倒された状態の通常モードで、切替スイッチ１０５がモードを切り替える操作を受け付けた場合に、モード制御部１００１は、操作画面表示モードに設定する。
【００３３】
表示制御部１００２は、表示部２０を制御して各種画面を表示させる。例えば、表示制御部１００２は、通常モードの場合に、伝票入力画面Ｇ１を表示部２０の表示面２１に表示させる。
【００３４】
ここで、図６は、伝票入力画面Ｇ１の一例を示す説明図である。伝票入力画面Ｇ１は、伝票のテンプレートに含まれる各項目に項目内容を入力する画面である。そして、伝票入力画面Ｇ１の各項目には、通常モードにおいては、キーボード３０やマウス４０から受け付けた内容が入力される。伝票入力画面Ｇ１には、伝票画像Ｇ１１と、発行ボタンＧ１２と、閉じるボタンＧ１３とが含まれている。伝票画像Ｇ１１は、伝票のテンプレートと、テンプレートに含まれる各項目に入力された入力内容とを表示した画像である。発行ボタンＧ１２は、伝票画像Ｇ１１に示された伝票を発行する操作を入力するボタンである。閉じるボタンＧ１３は、伝票入力画面Ｇ１を閉じる操作を入力するボタンである。また、図６に示す伝票入力画面Ｇ１は、顧客コードを入力している途中であることを示している。
【００３５】
また、表示制御部１００２は、操作画面表示モードの場合に、表示中の画面を縮小して空いた領域に、操作画面Ｇ２を表示部２０の表示面２１に表示させる。ここで、図７は、伝票入力画面Ｇ１と操作画面Ｇ２との一例を示す説明図である。図７は、表示していた伝票入力画面Ｇ１を縮小して、空いた領域に、操作画面Ｇ２を表示した状態を示している。操作画面Ｇ２は、伝票の発行に関する操作を受け付ける画面である。すなわち、操作画面Ｇ２は、伝票のテンプレートに含まれる各項目の項目内容をタッチパネル２２から入力する画面である。そして、操作画面表示モードにおいては、伝票入力画面Ｇ１の各項目には、操作画面Ｇ２から受け付けた内容が入力される。操作画面Ｇ２は、コード情報入力欄Ｇ２１と、一覧表示欄Ｇ２２と、操作ボタン表示領域Ｇ２３とを備える。コード情報入力欄Ｇ２１は、顧客コードや商品コードや伝票コード等の入力対象を示すコード情報を入力する入力欄である。すなわち、コード情報入力欄Ｇ２１は、入力対象を識別可能な識別情報を入力する入力欄である。一覧表示欄Ｇ２２は、コード情報入力欄Ｇ２１に入力されたコード情報に該当する情報の一覧を表示させる表示欄である。テンプレートに含まれる項目には、一覧表示欄Ｇ２２から選択された情報が入力される。操作ボタン表示領域Ｇ２３は、各種操作を受け付ける操作ボタンを表示する領域である。操作ボタンには、例えば置数ボタンや、特定の機能が割り当てられたファンクションボタンや、操作を決定する決定ボタンや、操作を取り消す取消ボタン等が含まれる。
【００３６】
図７に示す操作画面Ｇ２は、図７に示す伝票入力画面Ｇ１の顧客コードを入力している途中であることを示している。コード情報入力欄Ｇ２１には、操作ボタン表示領域Ｇ２３の操作ボタンが受け付けたコード情報が入力されている。表示制御部１００２は、コード情報入力欄Ｇ２１に入力されたコード情報に該当する情報として、コード情報入力欄Ｇ２１に入力された顧客コードに該当する顧客の名称を顧客マスタ１０８から抽出する。そして、表示制御部１００２は、抽出した顧客の名称を一覧表示欄Ｇ２２に表示する。また、表示制御部１００２は、一覧表示欄Ｇ２２から一の顧客が選択された場合に、選択された顧客の顧客コードを伝票入力画面Ｇ１の顧客コードに表示させ、選択された顧客の名称を伝票入力画面Ｇ１の顧客名称に表示させる。
【００３７】
タッチパネル制御部１００３は、表示部２０に積層されたタッチパネル２２を制御して、各種操作を受け付ける。例えば、タッチパネル制御部１００３は、操作画面表示モードの場合に、伝票入力画面Ｇ１からコード情報等の情報を入力する項目を指定する操作を受け付ける。また、タッチパネル制御部１００３は、操作画面Ｇ２から指定した項目の項目内容を入力する操作を受け付ける。
【００３８】
キーボード制御部１００４は、キーボード３０を制御して、各種操作を受け付ける。例えば、キーボード制御部１００４は、通常モードの場合に、キーボード３０から各種操作を受け付ける。そして、キーボード制御部１００４は、操作画面表示モードの場合に、キーボード３０からの入力を制限してもよい。すなわち、キーボード制御部１００４は、操作画面表示モードの場合に、キーボード３０に含まれるキーが押下されても、入力を受け付けない。
【００３９】
伝票情報生成部１００５は、伝票情報を生成する。例えば、伝票情報生成部１００５は、伝票入力画面Ｇ１の発行ボタンＧ１２が押下された場合に、伝票入力画面Ｇ１に示された伝票を示す伝票情報を生成する。そして、伝票情報生成部１００５は、生成した伝票情報を伝票マスタ１１０に記憶させる。
【００４０】
印字制御部１００６は、印字部１０４を制御して、各種情報を用紙に印字する。例えば、印字制御部１００６は、伝票情報生成部１００５が生成した伝票情報を用紙に印字する。このようにして、印字制御部１００６は、伝票を発行する。
【００４１】
次に、事務機１が実行する画面表示処理について説明する。ここで、図８は、本実施形態の事務機１が実行する画面表示処理の一例を示すフローチャートである。
【００４２】
モード制御部１００１は、傾き検知部５０からの出力に基づいて、表示部２０が倒されているか否かを判定する（ステップＳ１）。
【００４３】
表示部２０が倒されていると判定したことを条件に（ステップＳ１；Ｙｅｓ）、モード制御部１００１は、操作画面表示モードに設定する（ステップＳ２）。表示制御部１００２は、操作画面Ｇ２を表示部２０に表示させる（ステップＳ３）。
【００４４】
表示部２０が倒されていないと判定したことを条件に（ステップＳ１；Ｎｏ）、モード制御部１００１は、通常モードに設定する（ステップＳ４）。表示制御部１００２は、操作画面Ｇ２を消去する（ステップＳ５）。なお、操作画面Ｇ２を表示していない場合には、表示制御部１００２は、操作画面Ｇ２の非表示を維持する。
【００４５】
モード制御部１００１は、切替スイッチ１０５がモードを切り替える操作を受け付けたか否かを判定する（ステップＳ６）。モードを切り替える操作を受け付けていないことを条件に（ステップＳ６；Ｎｏ）、事務機１は、ステップＳ１に移行する。
【００４６】
モードを切り替える操作を受け付けたことを条件に（ステップＳ６；Ｙｅｓ）、モード制御部１００１は、通常モードに設定されているか否かを判定する（ステップＳ７）。
【００４７】
通常モードに設定されていることを条件に（ステップＳ７；Ｙｅｓ）、モード制御部１００１は、操作画面表示モードに設定する（ステップＳ８）。表示制御部１００２は、操作画面Ｇ２を表示部２０に表示させる（ステップＳ９）。
【００４８】
操作画面表示モードに設定されていることを条件に（ステップＳ７；Ｎｏ）、モード制御部１００１は、通常モードに設定する（ステップＳ１０）。表示制御部１００２は、操作画面Ｇ２を消去する（ステップＳ１１）。
【００４９】
事務機１は、以上により画面表示処理を終了する。
【００５０】
以上のように、本実施形態に係る事務機１によれば、表示部２０は、ヒンジ１４により表示面２１を上方に向けて傾くことが可能になっている。よって、事務機１は、操作者が立った状態でも表示部２０を見やすくすることができる。さらに、事務機１は、表示面２１を上方に向けて傾けられた場合、操作画面Ｇ２を表示部２０に表示させる。これにより、操作者は、立った状態でも、操作画面Ｇ２から容易に操作を入力することができる。よって、本実施形態に係る事務機１は、操作者が立った状態での操作性を向上させることができる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５２】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５３】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００５４】
１  事務機
１０  本体部
１１  筐体
１４  ヒンジ
２０  表示部
２１  表示面
２２  タッチパネル
３０  キーボード
４０  マウス
５０  傾き検知部
１０４  印字部
１０５  切替スイッチ
１０８  顧客マスタ
１０９  商品マスタ
１１０  伝票マスタ
１００１  モード制御部
１００２  表示制御部
１００３  タッチパネル制御部
１００４  キーボード制御部
１００５  伝票情報生成部
１００６  印字制御部
Ｇ１  伝票入力画面
Ｇ２  操作画面
【先行技術文献】
【特許文献】
【００５５】
【特許文献１】特開２０１７−１９１４０４号公報
【図１】
2019188628.tif 000003
【図２】
2019188628.tif 000004
【図３】
2019188628.tif 000005
【図４】
2019188628.tif 000006
【図５】
2019188628.tif 000007
【図６】
2019188628.tif 000008
【図７】
2019188628.tif 000009
【図８】
2019188628.tif 000010